(57)【要約】【課題】簡単に車線分離標の補修を行うことができる補修用反射部材を提供する。【解決手段】補修用反射部材１０は、道路に設置されている車線分離標の補修に用いるものである。補修用反射部材１０は、環状に形成されおり、外周側に光を反射する反射層を有する反射材により構成されている。補修用反射部材１０の内径ｄは、標示部の外径以上、標示部の外径に１ｍｍを加算した値以下の範囲内とすることが好ましい。補修用反射部材１０の高さは、５０ｍｍ以上、２００ｍｍ以下の範囲内とすることが好ましい。【選択図】図１
0003217556.tif 000002
【実用新案登録請求の範囲】
【請求項１】
筒状の標示部を備えた車線分離標に取り付けて補修するための補修用反射部材であって、
環状に形成され、
外周側に光を反射する反射層を有する反射材よりなり、
内径は、標示部の外径以上、標示部の外径に１ｍｍを加算した値以下の範囲内である
ことを特徴とする補修用反射部材。
【請求項２】
高さは、５０ｍｍ以上、２００ｍｍ以下の範囲内であることを特徴とする請求項１記載の補修用反射部材。
【請求項３】
帯状の反射材の両端部を当接させ、粘着テープまた熱接着により接合することにより環状に形成されたことを特徴とする請求項１又は請求項２に記載の補修用反射部材。
【考案の詳細な説明】
【技術分野】
【０００１】
本考案は、道路の中央分離帯、合流、分流地点等の車線誘導のために路面上に設置されている車線分離標に取り付ける補修用反射部材に関するものである。
【背景技術】
【０００２】
高速道路等では、中央分離帯、合流、分流地点等に車線誘導のための誘導標識柱として車線分離標が設置されている。車線分離標としては、例えば、路面に設置される台座部の上に、軟質合成樹脂からなる筒状の標示部が立設され、その標示部の外周面に帯状の反射部材が貼着されたものが知られている（例えば、特許文献１参照）。標示部を軟質合成樹脂により形成するのは、車両が接触したり踏みつけても柔軟に屈曲変形して復元するようにすると共に、車両への傷やショックを和らげるためである。また、反射部材は車両のヘッドライトの光を反射させて夜間の視認性を高めるためである。
【０００３】
しかしながら、反射部材は経年劣化しやすく、それにより視認性が低下してしまうので、車線分離標を定期的に取り換える必要がある。車線分標を取り換える際には、例えば、道路の片側を閉鎖し、もう一方の片側において時間帯を区切り双方向に向かう車両を交互に通行させる片側交互規制を行っている。そのため、交通渋滞が発生し、また、交通事故の危険性も高まるという問題があった。更に、交通規制を行うには事前の広報を行わなければならず、交通規制のための手間や作業員が必要になるという問題もあった。
【先行技術文献】
【特許文献】
【０００４】
【特許文献１】特開平１０−１４７９１３号公報
【考案の概要】
【考案が解決しようとする課題】
【０００５】
本考案は、このような問題に基づきなされたものであり、簡単に車線分離標の補修を行うことができる補修用反射部材を提供することを目的とする。
【課題を解決するための手段】
【０００６】
本考案の補修用反射部材は、筒状の標示部を備えた車線分離標に取り付けて補修するためのものであって、環状に形成され、外周側に光を反射する反射層を有する反射材よりなり、内径は、標示部の外径以上、標示部の外径に１ｍｍを加算した値以下の範囲内のものである。
【考案の効果】
【０００７】
本考案によれば、補修用反射部材を環状に形成し、内径を標示部の外径以上、標示部の外径に１ｍｍを加算した値以下の範囲内とするようにしたので、補修用反射部材の内周面を標示部の外周面に対向させて嵌合させることにより、手元を凝視しなくても片手で簡単に、補修用反射部材を車線分離標に取り付けることができる。
【０００８】
よって、車線分離標を道路に設置したままで作業をすることができるので、車線分離標の取り外し、取り付け作業を削減することができ、作業を大幅に低減することができる。また、交通規制をしなくても作業することができるので、交通規制による交通渋滞や交通事故の発生がなく、交通規制の手間や作業員を削減することもできる。更に、車を見ながら作業することができるので、安全性を高めることができる。
【０００９】
加えて、車線分離標については、道路に設置されているものをそのまま用いることができるので、コストを削減することができると共に、資源の無駄を削減することができる。更にまた、車線分離標を取り替える必要が生じた場合には、車線分離標に取り付けた補修用反射部材の劣化が進んでいなければ、回収し、再利用することもできる。
【図面の簡単な説明】
【００１０】
【図１】本考案の一実施の形態に係る補修用反射部材の構成を表す図である。
【図２】図１に示した補修用反射部材を取り付ける車線分離標の構成を表す図である。
【図３】図１に示した補修用反射部材の接合部分の構造を表す図である。
【考案を実施するための形態】
【００１１】
以下、本考案の実施の形態について図面を参照して詳細に説明する。
【００１２】
図１は、本考案の一実施の形態に係る補修用反射部材１０の構成を表すものである。図２は、補修用反射部材１０を取り付ける車線分離標２０の構成を表すものである。この補修用反射部材１０は、道路に設置されている車線分離標２０の補修に用いるものである。
【００１３】
車線分離標２０は、例えば、中央分離帯、合流、分流地点等に車線誘導のための誘導標識柱として設置されるものである。車線分離標２０は、例えば、路面に設置される台座部２１の上に、軟質合成樹脂からなる筒状の標示部２２が立設され、標示部２２の外周に反射部材２３が接着等により取り付けられた構成を有している。なお、図２では、反射部材２３を分かりやすくするために、反射部材２３には網掛けを付して示している。このような車線分離標２０は、反射部材２３が経年劣化するので補修が必要となる。
【００１４】
補修用反射部材１０は、環状に形成されおり、外周側に光を反射する反射層を有する反射材により構成されている。反射材としては、再帰性反射材が好ましく、例えば、超高輝度全方向性広角プリズム反射材が好ましく挙げられる。
【００１５】
補修用反射部材１０の内径ｄは、標示部２２の外径Ｄ以上、標示部２２の外径Ｄに１ｍｍを加算した値以下の範囲内とすることが好ましい。補修用反射部材１０の内周面を標示部２２の外周面に対向させて嵌合し、標示部２２に対して接着しないで配設することができるようにするためである。補修用反射部材１０の内径ｄが標示部２２の外径Ｄよりも小さいと補修用反射部材１０の中に標示部２２を通すことができず、内径ｄが大きすぎると標示部２２に対して位置を固定して配設することが難しく、また、標示部２２から外れて飛散してしまう恐れがあるからである。
【００１６】
なお、補修用反射部材１０の内径ｄは、例えば、標示部２２の外径Ｄに０．５ｍｍを加算した値以上、標示部２２の外径Ｄに１ｍｍを加算した値以下の範囲内とすればより好ましい。補修用反射部材１０の内径ｄがあまり小さいと緩みが少なく、補修用反射部材１０の中に標示部２２を通すのが大変であり、内径ｄがあまり大きいと緩みが多くなり、標示部２２に対して位置を固定することが難しいからである。例えば、標示部２２の外径Ｄが８０ｍｍである場合には、補修用反射部材１０の内径ｄは、８０ｍｍ以上、８１ｍｍ以下の範囲内とすることが好ましく、８０．５ｍｍ以上、８１ｍｍ以下の範囲内とすればより好ましい。
【００１７】
補修用反射部材１０の高Ｔさは、例えば、５０ｍｍ以上、２００ｍｍ以下の範囲内とすることが好ましい。補修用反射部材１０の高さＴが低すぎると視認性を高める効果が低くなり、高さＴが高すぎると補修用反射部材１０の中に標示部２２を通すのが大変になるからである。
【００１８】
また、補修用反射部材１０は、例えば、図３に示したように、帯状反射材１１の両端部を当接させ、その両端部同士を粘着テープ１２また熱接着により接合することにより環状に形成されていることが好ましい。帯状反射材１１は、両端部を重ね合わせずに、両端部同士が連続するように当接して、接合されることが好ましい。両端部を重ね合わせると、重ね合わせた部分の厚みが厚くなり、補修用反射部材１０の中に標示部２２を通すのが大変になるからである。また、帯状反射材を接合するのではなく、環状に一体成形するようにしても好ましい。
【００１９】
この補修用反射部材１０は、上述した標示部２２に反射部材２３が取り付けられた車線分離標２０について反射部材２３を補修する際に用いられる。例えば、道路に設置された車線分離標２０について反射部材２３が劣化した場合には、上述した補修用反射部材１０を用意し、補修用反射部材１０の内周面を標示部２２の外周面に対向させて、標示部２２の上から補修用反射部材１０を嵌合させることにより、補修用反射部材１０を車線分離標２０に取り付ける。補修用反射部材１０は、内径ｄと標示部２２の外径Ｄとの関係を上述したように調節することにより、接着せずに、標示部２２に対して取り付けることができる。
【００２０】
このように本実施の形態によれば、補修用反射部材１０を環状に形成し、内径ｄを標示部２２の外径Ｄ以上、標示部２２の外径Ｄに１ｍｍを加算した値以下の範囲内とするようにしたので、補修用反射部材１０の内周面を標示部２２の外周面に対向させて嵌合させることにより、手元を凝視しなくても片手で簡単に、補修用反射部材１０を車線分離標２０に取り付けることができる。
【００２１】
よって、車線分離標２０を道路に設置したままで作業をすることができるので、車線分離標２０の取り外し、取り付け作業を削減することができ、作業を大幅に低減することができる。また、交通規制をしなくても作業することができるので、交通規制による交通渋滞や交通事故の発生がなく、交通規制の手間や作業員を削減することもできる。更に、車を見ながら作業することができるので、安全性を高めることができる。
【００２２】
加えて、車線分離標２０については、道路に設置されているものをそのまま用いることができるので、コストを削減することができると共に、資源の無駄を削減することができる。更にまた、車線分離標２０を取り替える必要が生じた場合には、車線分離標２０に取り付けた補修用反射部材１０の劣化が進んでいなければ、回収し、再利用することもできる。
【００２３】
以上、実施の形態を挙げて本考案を説明したが、本考案は上記実施の形態に限定されるものではなく、種々変形可能である。例えば、上記実施の形態では、各構成要素についても具体的に説明したが、全ての構成要素を備えていなくてもよく、また、他の構成要素を備えていてもよい。
【産業上の利用可能性】
【００２４】
道路に設置される車両分離標の補修に用いることができる。
【符号の説明】
【００２５】
１０…補修用反射部材、１１…帯状反射材、１２…粘着テープ、２０…車両分離標、２１…台座部、２２…標示部、２３…反射部材
【図１】
0003217556.tif 000003
【図２】
0003217556.tif 000004
【図３】
0003217556.tif 000005